(57)【要約】【課題】  構成が簡易で取付けが容易であり、製造コストおよび提供価格が廉価な突っ張り型の手すりを提供する。【解決手段】  垂直方向に立設される下部パイプ１０と、下端部が下部パイプ１０に挿入され、上端が天井Ｃに当接する上部パイプ２０と、下部パイプ１０の上端部に嵌合して固定され、後端部の左右両側に、水平軸３１を中心として回転するローラー３２を軸支した下部ホルダー３０と、上部パイプ２０の下端部に嵌合し、後端部に横軸４１を有する上部ホルダー４０と、上部ホルダー４０の後端部に、横軸４１を介して前端部が軸支された長尺状のレバー本体５１の略前半部の左右両側下端に、下端面を、ローラー３２の上面に当接するカム面５３としたカム部材５２を一体設した回動レバー５０と、上部ホルダー４０と下部ホルダー３０との間に懸架された引張スプリング６０と、で構成する。【選択図】      図１
2008075383.tif 000002
【特許請求の範囲】
【請求項１】
身障者や高齢者などが立ち上がる際などに手で持って身体を支えるための突っ張り型の手すりであって、垂直方向に立設され，下端が床（Ｆ）に当接する大径下部パイプ（１０）と、下端部が前記下部パイプに挿入され，上端が天井（Ｃ）に当接する小径上部パイプ（２０）と、下部パイプの上端部に嵌合して固定され，後端部の左右両側に，水平軸（３１）を中心として回転するローラー（３２）を軸支した下部ホルダー（３０）と、前記上部パイプの下端部に嵌合し，後端部に横軸（４１）を有する上部ホルダー（４０）と、前記上部ホルダーの後端部に，前記横軸を介して前端部が軸支された長尺状のレバー本体（５１）の略前半部の左右両側下端に，下端面を，前記横軸からの距離が後方に向かって徐々に大きくなる円弧状で，前記ローラーの上面に当接するカム面（５３）としたカム部材（５２）を一体設した回動レバー（５０）と、からなり、前記回動レバーを下方向に回動することによって，前記上部ホルダーと前記上部パイプを上昇させ，前記上部パイプと下部パイプを天井と床との間で突っ張らせて固定してなる突っ張り型手すり。
【請求項２】
身障者や高齢者などが立ち上がる際などに手で持って身体を支えるための突っ張り型の手すりであって、垂直方向に立設され，下端が床（Ｆ）に当接する大径下部パイプ（１０）と、下端部が前記下部パイプに挿入され，上端が天井（Ｃ）に当接する小径上部パイプ（２０）と、下部パイプの上端部に嵌合して固定され，後端部の左右両側に，水平軸（３１）を中心として回転するローラー（３２）を軸支した下部ホルダー（３０）と、前記上部パイプの下端部に嵌合し，後端部に横軸（４１）を有する上部ホルダー（４０）と、前記上部ホルダーの後端部に，前記横軸を介して前端部が軸支された長尺状のレバー本体（５１）の略前半部の左右両側下端に，下端面を，前記横軸からの距離が後方に向かって徐々に大きくなる円弧状で，前記ローラーの上面に当接するカム面（５３）としたカム部材（５２）を一体設した回動レバー（５０）と、からなり、前記回動レバーを下方向に回動することによって，前記上部ホルダーと前記上部パイプを上昇させ，前記上部パイプと下部パイプを天井と床との間で突っ張らせて固定し、前記カム面の後方に隣接して，前記ローラーが進入するストッパー凹部（５４）を設けてなる突っ張り型手すり。
【請求項３】
上部パイプ（２０）の上端部に、上端面が天井（Ｃ）に当接する平面十字状の支持板（２１）を設けてなる請求項１または２に記載の突っ張り型手すり。
【請求項４】
下部パイプ（１０）に正面コ字状の把持部（１１）を設けてなる請求項１、２または３に記載の突っ張り型手すり。
【発明の詳細な説明】
【技術分野】
【０００１】
本発明は、例えば、身障者や高齢者などが立ち上がる際や、立ち下がる際（座ったり、寝る際）に、それを支援（補助）する突っ張り型の手すりに関するものである。
【背景技術】
【０００２】
従来、身障者や高齢者などが室内で立ち上がったり、立ち下がる際の動作を支援するための突っ張り型の支柱（手すり）が創案されている（例えば、特許文献１参照）。
【特許文献１】特開２００３−２０６６４０号公報
【０００３】
この支柱は、ハンドルを水平位置から鉛直下方に４５°回動する間に、カム機構の段差状に形成した固定カム面と可動カム面とを嵌め込んで、上部パイプを保持する締結リングを締め付け、そのまま上昇させて天井と床との間に固定するものである。
【発明の開示】
【発明が解決しようとする課題】
【０００４】
上記した従来技術に係る支柱は、上部パイプを上昇させて、当該支柱を天井と床との間に固定することはできるものの、段差状の固定カム面など、製造が厄介なカム機構を設ける必要があり、その構成が複雑であるため取付けが面倒であり、また、製造コストおよび提供価格が嵩むといった問題がある。
【０００５】
本発明はこうした問題に鑑み創案されたもので、身障者や高齢者などが室内で立ち上がる際などの動作を支援することのできる突っ張り型の手すりにおいて、構成が簡易で取付けが容易であり、かつ、製造コストおよび提供価格が廉価な製品を提供することを課題とする。
【課題を解決するための手段】
【０００６】
図１乃至図１１を参照して説明する。請求項１に記載の突っ張り型手すり１は、身障者や高齢者などが立ち上がる際などに手で持って身体を支えるためのものであって、垂直方向に立設され、下端が床Ｆに当接する大径下部パイプ１０と、下端部が前記下部パイプ１０に挿入され、上端が天井Ｃに当接する小径上部パイプ２０と、下部パイプ１０の上端部に嵌合して固定され、後端部の左右両側に、水平軸３１を中心として回転するローラー３２を軸支した下部ホルダー３０と、前記上部パイプ２０の下端部に嵌合し、後端部に横軸４１を有する上部ホルダー４０と、前記上部ホルダー４０の後端部に、前記横軸４１を介して前端部が軸支された長尺状のレバー本体５１の略前半部の左右両側下端に、下端面を、前記横軸４１からの距離が後方に向かって徐々に大きくなる円弧状で、前記ローラー３２の上面に当接するカム面５３としたカム部材５２を一体設した回動レバー５０とで構成する。
【０００７】
そして、前記回動レバー５０を下方向に回動することによって、前記上部ホルダー４０と前記上部パイプ２０を上昇させ、前記上部パイプ２０と下部パイプ１０を天井Ｃと床Ｆとの間で突っ張らせて固定するものである。
【０００８】
請求項２に記載の突っ張り型手すり１は、身障者や高齢者などが立ち上がる際などに手で持って身体を支えるためのものであって、垂直方向に立設され、下端が床Ｆに当接する大径下部パイプ１０と、下端部が前記下部パイプ１０に挿入され、上端が天井Ｃに当接する小径上部パイプ２０と、下部パイプ１０の上端部に嵌合して固定され、後端部の左右両側に、水平軸３１を中心として回転するローラー３２を軸支した下部ホルダー３０と、前記上部パイプ２０の下端部に嵌合し、後端部に横軸４１を有する上部ホルダー４０と、前記上部ホルダー４０の後端部に、前記横軸４１を介して前端部が軸支された長尺状のレバー本体５１の略前半部の左右両側下端に、下端面を、前記横軸４１からの距離が後方に向かって徐々に大きくなる円弧状で、前記ローラー３２の上面に当接するカム面５３としたカム部材５２を一体設した回動レバー５０と、で構成する。
【０００９】
そして、前記回動レバー５０を下方向に回動することによって、前記上部ホルダー４０と前記上部パイプ２０を上昇させ、前記上部パイプ２０と下部パイプ１０を天井Ｃと床Ｆとの間で突っ張らせて固定するものである。また、前記カム面５３の後方に隣接して、前記ローラー３２が進入するストッパー凹部５４を設ける。
【００１０】
請求項３に記載の突っ張り型手すり１は、請求項１または２に記載の発明において、上部パイプ２０の上端部に、上端面が天井Ｃに当接する平面十字状の支持板２１を設けて構成する。
【００１１】
請求項４に記載の突っ張り型手すり１は、請求項１、２または３に記載の発明において、下部パイプ１０に正面コ字状の把持部１１を設けて構成する。
【発明の効果】
【００１２】
請求項１に記載の突っ張り型手すり１は、下部パイプ１０、上部パイプ２０、下部ホルダー３０、上部ホルダー４０、回動レバー５０で構成され、これらの部材はいずれも簡易な構成であるので、全体構造が簡易であり、取付けが極めて容易である。また、構造が簡易であるため、製造コストおよび提供価格を廉価に抑えることができ、きわめて実用性に富む。
【００１３】
さらに、回動レバー５０を下方向に回動するのみで、天井Ｃと床Ｆとの間に突っ張らせて固定するので、強固に取り付けることができ、手すりとしての機能に優れる。
【００１４】
請求項２に記載の突っ張り型手すり１は、請求項１に記載の発明と同様に、取付けが容易で、製造コストおよび提供価格を廉価に押させることができるので実用性が高く、また、容易かつ強固に取り付けることができる。
【００１５】
また、カム面５３の後方に隣接して、ローラー３２が進入するストッパー凹部５４を設けているので、回動レバー５０を下方向に回動し切った際に、ローラー３２がストッパー凹部５４に進入して停止する。これにより、上部パイプ２０の伸長状態を維持することができるので、当該手すり１を、より安定姿勢で取り付けることができる。
【００１６】
請求項３に記載の突っ張り型手すり１は、請求項１および２に記載の発明と同様の効果を発揮する。また、上部パイプ２０の上端部に、上端面が天井Ｃに当接する平面十字状の支持板２１を設けているので、天井Ｃに対する組付きが安定する。従って、より強固に取り付けることができる。
【００１７】
請求項４に記載の突っ張り型手すり１は、請求項１、２および３に記載の発明と同様の効果を発揮する。また、下部パイプ１０に正面コ字状の把持部１１を設けているので、当該下部パイプ１０（および上部パイプ２０）のみでなく、把持部１１を持つことによっても身体を支えることができる。従って、より使用性に優れる。
【発明を実施するための最良の形態】
【００１８】
本発明に係る突っ張り型手すり１の実施形態を、図１乃至図１１に示す。これは、身障者や高齢者などが立ち上がる際や、立ち下がる際（座ったり、寝る際）に手で持って身体を支えるためのものであり、下部パイプ１０、上部パイプ２０、下部ホルダー３０、上部ホルダー４０、回動レバー５０、および引張スプリング６０で構成される。
【００１９】
大径下部パイプ１０は、垂直方向に立設されるもので、下端である土台部１２が床Ｆに当接する。小径上部パイプ２０は下部パイプ１０より小径であり、その下端部が下部パイプ１０の上端部に挿入され、上端が天井Ｃに当接する。
【００２０】
下部ホルダー３０は、下部パイプ１０の上端部に嵌合してビス３３で固定され、後端部の左右両側に、水平軸３１を中心として回転する一対のローラー３２を軸支している。上部ホルダー４０は、上部パイプ２０の下端部に嵌合し、その後端部に横軸４１を有する。
【００２１】
母線方向に割れ目４３を設けた円筒状の上部ホルダー４０には、割れ目４３の両側に放射方向の締付片４４ａ，４４ｂが対向させて突設されており、両締付片４４ａ，４４ｂの上部には両者を貫通する軸受孔４５が設けられ、また軸受孔４５より下側の締付片４４ａ，４４ｂの両外面は、後方に向って狭くなり、下に向って広くなるテーパー面４６ａ，４６ｂが設けられている。
【００２２】
回動レバー５０は、レバー本体５１とカム板部５２とで構成される。レバー本体５１は、下に凹の逆溝形で、前部には平行する内側壁５７ａ，５７ｂが設けられ、また前端溝底部には切欠き５８が設けられている。そしてレバー本体５１は、上部ホルダー４０の後端部の締付片４６ａ，４６ｂを挟んで外側から嵌められ、横軸４１を介してその前端部が軸受孔４５に軸支された長尺状である。カム板部５２は、レバー本体５１のほぼ前半部の左右両側下端に外に拡がる段部５８を介して一体設され、下端面を、円弧状でローラー３２の上面に当接するカム面５３としている。カム面５３の後方に隣接して、レバー本体５１に、ローラー３２が進入するストッパー凹部５４を形成している。
【００２３】
なお、本実施形態では、上部パイプ２０の上端部に、上端面が天井Ｃに当接する平面十字状の支持板２１を設けている。また、下部パイプ１０に正面コ字状の把持部１１を設けている。この把持部１１は、下部パイプ１０を軸として回動自在であり、また、垂直方向にも昇降自在である。
【００２４】
本実施形態に係る突っ張り型手すり１の作用について説明する。まず、下部パイプ１０の下端を床Ｆの所定箇所に垂直に位置させる。この際、上部パイプ２０を下部パイプ１０から手で引き出し、支持板２１を天井Ｃに接触させる。このとき、上部ホルダー４０の下面は下部ホルダー３０に接触している。
【００２５】
回動レバー５０をやや下方向に回動させると、レバー本体５１の内側壁５７ａ，５７ｂがテーパー面４６ａ，４６ｂに接触して、締付片４４ａ，４４ｂを接近させ割れ目４３を小さくし、上部ホルダー４０に縮径の外力を与え、上部パイプ２０を締付ける。
【００２６】
この状態から、回動レバー５０を更に下方向に回動する。これにより、カム面５３がローラー３２上に載り、ローラー３２を回転させながら前方に移動するが、当該カム面５３は、横軸４１からの半径が後方に向かって徐々に大きく形成されているので、上部ホルダー４０と共に上部パイプ２０が上昇する。これにより、上部パイプ２０の上端は、天井Ｃに強く圧接し、当該手すり１は天井Ｃと床Ｆとの間に突っ張った状態で強固に取り付けられる。
【００２７】
なお、回動レバー５０を回動し切った状態では、ローラー３２がカム面５３のストッパー凹部５４に進入するので、当該ローラー３２はその位置で停止する。従って、回動ストッパーは、その状態を維持することができ、よって、当該手すり１は天井Ｃと床Ｆとの間に、突っ張った姿勢で強固に固定される。
【００２８】
本実施形態に係る突っ張り型手すり１は、下部パイプ１０、上部パイプ２０、下部ホルダー３０、上部ホルダー４０、回動レバー５０で構成され、これらの部材はいずれも簡易な構成であるので、全体構造が簡易である。従って、取付けが極めて容易であり、製造コストおよび提供コストを廉価に抑えることができる。
【００２９】
また、上部パイプ２０を手で引き出して支持板２１を天井Ｃに当て、回動レバー５０を下方向に回動するのみで、天井Ｃと床Ｆとの間に突っ張らせて固定するので、強固に取り付けることができ、手すりとしての機能に優れる。
【００３０】
なお、本実施形態に係る突っ張り型手すり１は、上部パイプ２０の上端部に、上端面が天井Ｃに当接する平面十字状の支持板２１を設けている。これにより、天井Ｃに対する組付きを安定させて、より強固に取り付けることができる。
【００３１】
また、この手すり１は、下部パイプ１０に正面コ字状の把持部１１を設けている。これにより、把持部１１を持つことによっても身体を支えることができるので、より使用性に優れるといった利点を持つ。
【００３２】
また、レバー本体５１のカム部材５２の後端部に対応する部分に、左右方向に支持部材５５を設け、回動レバー５０を回動した際にカム部材５２に作用する力によって、当該カム部材５２およびレバー本体５１が左右方向に変形してしまうのを防止している。
【００３３】
なお、回動レバー５０を下向きから水平位置に戻したとき、上部ホルダー４０が確実に下部ホルダー３０に接触するまで下降させるために、両者間に引張スプリング６０を張架することもある。
【図面の簡単な説明】
【００３４】
【図１】本発明の実施形態に係る突っ張り型手すりを示す側面図である。
【図２】図１に示す手すりの要部拡大図である。
【図３】図２のＡ−Ａ線断面図である。
【図４】本発明の実施形態における回動レバーを示す側面図である。
【図５】（ａ）は図４のＢ−Ｂ線断面図、（ｂ）はＣ−Ｃ線断面図である。
【図６】本発明の実施形態における下部ホルダーを示す側面図である。
【図７】図６に示す下部ホルダーの平面図である。
【図８】本発明の実施形態における上部ホルダーを示す側面図である。
【図９】図７に示す下部ホルダーの平面図である。
【図１０】レバーを上げた状態における図８のＺ−Ｚ断面端図である。
【図１１】レバーを若干傾けた状態における図８のＺ−Ｚ断面端図である。
【図１２】本発明の実施形態に係る突っ張り型手すりの動作を示す要部拡大側面図である。
【図１３】本発明の実施形態に係る突っ張り型手すりの概略平面図である。
【符号の説明】
【００３５】
１        突っ張り型手すり
１０      下部パイプ
１１      把持部
１２      土台部
２０      上部パイプ
２１      支持板
３０      下部ホルダー
３１      水平軸
３２      ローラー
３３      ビス
３４      孔部
４０      上部ホルダー
４１      横軸
４２      円弧面後端部
４３      割れ目
４４ａ，４４ｂ      締付片
４５      軸受孔
４６ａ，４６ｂ      テーパー面
５０      回動レバー
５１      レバー本体
５２      カム板部
５３      カム面
５４      ストッパー凹部
５５      支持部材
５６      円弧面
５７ａ，５７ｂ      内側壁
５８      切欠き
６０      引張スプリング
Ｃ        天井
Ｆ        床
【図１】
2008075383.tif 000003
【図２】
2008075383.tif 000004
【図３】
2008075383.tif 000005
【図４】
2008075383.tif 000006
【図５】
2008075383.tif 000007
【図６】
2008075383.tif 000008
【図７】
2008075383.tif 000009
【図８】
2008075383.tif 000010
【図９】
2008075383.tif 000011
【図１０】
2008075383.tif 000012
【図１１】
2008075383.tif 000013
【図１２】
2008075383.tif 000014
【図１３】
2008075383.tif 000015
【手続補正書】
【提出日】平成18年9月25日(2006.9.25)
【手続補正１】
【補正対象書類名】明細書
【補正対象項目名】全文
【補正方法】変更
【補正の内容】
【発明の詳細な説明】
【技術分野】
【０００１】
本発明は、例えば、身障者や高齢者などが立ち上がる際や、立ち下がる際（座ったり、寝る際）に、それを支援（補助）する突っ張り型の手すりに関するものである。
【背景技術】
【０００２】
従来、身障者や高齢者などが室内で立ち上がったり、立ち下がる際の動作を支援するための突っ張り型の支柱（手すり）が創案されている（例えば、特許文献１参照）。
【特許文献１】特開２００３−２０６６４０号公報
【０００３】
この支柱は、ハンドルを水平位置から鉛直下方に４５°回動する間に、カム機構の段差状に形成した固定カム面と可動カム面とを嵌め込んで、上部パイプを保持する締結リングを締め付け、そのまま上昇させて天井と床との間に固定するものである。
【発明の開示】
【発明が解決しようとする課題】
【０００４】
上記した従来技術に係る支柱は、上部パイプを上昇させて、当該支柱を天井と床との間に固定することはできるものの、段差状の固定カム面など、製造が厄介なカム機構を設ける必要があり、その構成が複雑であるため取付けが面倒であり、また、製造コストおよび提供価格が嵩むといった問題がある。
【０００５】
本発明はこうした問題に鑑み創案されたもので、身障者や高齢者などが室内で立ち上がる際などの動作を支援することのできる突っ張り型の手すりにおいて、構成が簡易で取付けが容易であり、かつ、製造コストおよび提供価格が廉価な製品を提供することを課題とする。
【課題を解決するための手段】
【０００６】
図１乃至図１１を参照して説明する。請求項１に記載の突っ張り型手すり１は、身障者や高齢者などが立ち上がる際などに手で持って身体を支えるためのものであって、垂直方向に立設され、下端が床Ｆに当接する大径下部パイプ１０と、下端部が前記下部パイプ１０に挿入され、上端が天井Ｃに当接する小径上部パイプ２０と、下部パイプ１０の上端部に嵌合して固定され、後端部の左右両側に、水平軸３１を中心として回転するローラー３２を軸支した下部ホルダー３０と、前記上部パイプ２０の下端部に嵌合し、後端部に横軸４１を有する上部ホルダー４０と、前記上部ホルダー４０の後端部に、前記横軸４１を介して前端部が軸支された長尺状のレバー本体５１の略前半部の左右両側下端に、下端面を、前記横軸４１からの距離が後方に向かって徐々に大きくなる円弧状で、前記ローラー３２の上面に当接するカム面５３としたカム部材５２を一体設した回動レバー５０とで構成する。
【０００７】
そして、前記回動レバー５０を下方向に回動することによって、前記上部ホルダー４０と前記上部パイプ２０を上昇させ、前記上部パイプ２０と下部パイプ１０を天井Ｃと床Ｆとの間で突っ張らせて固定するものである。
【０００８】
請求項２に記載の突っ張り型手すり１は、身障者や高齢者などが立ち上がる際などに手で持って身体を支えるためのものであって、垂直方向に立設され、下端が床Ｆに当接する大径下部パイプ１０と、下端部が前記下部パイプ１０に挿入され、上端が天井Ｃに当接する小径上部パイプ２０と、下部パイプ１０の上端部に嵌合して固定され、後端部の左右両側に、水平軸３１を中心として回転するローラー３２を軸支した下部ホルダー３０と、前記上部パイプ２０の下端部に嵌合し、後端部に横軸４１を有する上部ホルダー４０と、前記上部ホルダー４０の後端部に、前記横軸４１を介して前端部が軸支された長尺状のレバー本体５１の略前半部の左右両側下端に、下端面を、前記横軸４１からの距離が後方に向かって徐々に大きくなる円弧状で、前記ローラー３２の上面に当接するカム面５３としたカム部材５２を一体設した回動レバー５０と、で構成する。
【０００９】
そして、前記回動レバー５０を下方向に回動することによって、前記上部ホルダー４０と前記上部パイプ２０を上昇させ、前記上部パイプ２０と下部パイプ１０を天井Ｃと床Ｆとの間で突っ張らせて固定するものである。また、前記カム面５３の後方に隣接して、前記ローラー３２が進入するストッパー凹部５４を設ける。
【００１０】
請求項３に記載の突っ張り型手すり１は、請求項１または２に記載の発明において、上部パイプ２０の上端部に、上端面が天井Ｃに当接する平面十字状の支持板２１を設けて構成する。
【００１１】
請求項４に記載の突っ張り型手すり１は、請求項１、２または３に記載の発明において、下部パイプ１０に正面コ字状の把持部１１を設けて構成する。
【発明の効果】
【００１２】
請求項１に記載の突っ張り型手すり１は、下部パイプ１０、上部パイプ２０、下部ホルダー３０、上部ホルダー４０、回動レバー５０で構成され、これらの部材はいずれも簡易な構成であるので、全体構造が簡易であり、取付けが極めて容易である。また、構造が簡易であるため、製造コストおよび提供価格を廉価に抑えることができ、きわめて実用性に富む。
【００１３】
さらに、回動レバー５０を下方向に回動するのみで、天井Ｃと床Ｆとの間に突っ張らせて固定するので、強固に取り付けることができ、手すりとしての機能に優れる。
【００１４】
請求項２に記載の突っ張り型手すり１は、請求項１に記載の発明と同様に、取付けが容易で、製造コストおよび提供価格を廉価に押させることができるので実用性が高く、また、容易かつ強固に取り付けることができる。
【００１５】
また、カム面５３の後方に隣接して、ローラー３２が進入するストッパー凹部５４を設けているので、回動レバー５０を下方向に回動し切った際に、ローラー３２がストッパー凹部５４に進入して停止する。これにより、上部パイプ２０の伸長状態を維持することができるので、当該手すり１を、より安定姿勢で取り付けることができる。
【００１６】
請求項３に記載の突っ張り型手すり１は、請求項１および２に記載の発明と同様の効果を発揮する。また、上部パイプ２０の上端部に、上端面が天井Ｃに当接する平面十字状の支持板２１を設けているので、天井Ｃに対する組付きが安定する。従って、より強固に取り付けることができる。
【００１７】
請求項４に記載の突っ張り型手すり１は、請求項１、２および３に記載の発明と同様の効果を発揮する。また、下部パイプ１０に正面コ字状の把持部１１を設けているので、当該下部パイプ１０（および上部パイプ２０）のみでなく、把持部１１を持つことによっても身体を支えることができる。従って、より使用性に優れる。
【発明を実施するための最良の形態】
【００１８】
本発明に係る突っ張り型手すり１の実施形態を、図１乃至図１３に示す。これは、身障者や高齢者などが立ち上がる際や、立ち下がる際（座ったり、寝る際）に手で持って身体を支えるためのものであり、下部パイプ１０、上部パイプ２０、下部ホルダー３０、上部ホルダー４０、回動レバー５０で構成される。
【００１９】
大径下部パイプ１０は、垂直方向に立設されるもので、下端である土台部１２が床Ｆに当接する。小径上部パイプ２０は下部パイプ１０より小径であり、その下端部が下部パイプ１０の上端部に挿入され、上端が天井Ｃに当接する。
【００２０】
下部ホルダー３０は、下部パイプ１０の上端部に嵌合してビス３３で固定され、後端部の左右両側に、水平軸３１を中心として回転する一対のローラー３２を軸支している。上部ホルダー４０は、上部パイプ２０の下端部に嵌合し、その後端部に横軸４１を有する。
【００２１】
母線方向に割れ目４３を設けた円筒状の上部ホルダー４０には、割れ目４３の両側に半径方向の締付片４４ａ，４４ｂが対向させて突設されており、両締付片４４ａ，４４ｂの上部には両者を貫通する軸受孔４５が設けられ、また軸受孔４５より下側の締付片４４ａ，４４ｂの両外面は、後方に向って狭くなり、下に向って広くなるテーパー面４６ａ，４６ｂが設けられている。
【００２２】
回動レバー５０は、レバー本体５１とカム板部５２とで構成される。レバー本体５１は、下に凹の逆溝形で、前部には平行する内側壁５７ａ，５７ｂが設けられ、また前端溝底部には切欠き５８が設けられている。そしてレバー本体５１は、上部ホルダー４０の後端部の締付片４４ａ，４４ｂを挟んで外側から嵌められ、横軸４１を介してその前端部が軸受孔４５に軸支された長尺状である。カム板部５２は、レバー本体５１のほぼ前半部の左右両側下端に外に拡がる段部５９を介して一体設され、下端面を、円弧状でローラー３２の上面に当接するカム面５３としている。カム面５３の後方に隣接して、レバー本体５１に、ローラー３２が進入するストッパー凹部５４を形成している。
【００２３】
なお、本実施形態では、上部パイプ２０の上端部に、上端面が天井Ｃに当接する平面十字状の支持板２１を設けている。また、下部パイプ１０に正面コ字状の把持部１１を設けている。この把持部１１は、下部パイプ１０を軸として回動自在であり、また、垂直方向にも昇降自在である。
【００２４】
本実施形態に係る突っ張り型手すり１の作用について説明する。まず、下部パイプ１０の下端を床Ｆの所定箇所に垂直に位置させる。この際、上部パイプ２０を下部パイプ１０から手で引き出し、支持板２１を天井Ｃに接触させる。このとき、上部ホルダー４０の下面は下部ホルダー３０に接触している。
【００２５】
回動レバー５０をやや下方向に回動させると、レバー本体５１の内側壁５７ａ，５７ｂがテーパー面４６ａ，４６ｂに接触して、締付片４４ａ，４４ｂを接近させ割れ目４３を小さくし、上部ホルダー４０に縮径の外力を与え、上部パイプ２０を締付ける。
【００２６】
この状態から、回動レバー５０を更に下方向に回動する。これにより、カム面５３がローラー３２上に載り、ローラー３２を回転させながら前方に移動するが、当該カム面５３は、横軸４１からの半径が後方に向かって徐々に大きく形成されているので、上部ホルダー４０と共に上部パイプ２０が上昇する。これにより、上部パイプ２０の上端は、天井Ｃに強く圧接し、当該手すり１は天井Ｃと床Ｆとの間に突っ張った状態で強固に取り付けられる。
【００２７】
なお、回動レバー５０を回動し切った状態では、ローラー３２がカム面５３のストッパー凹部５４に進入するので、当該ローラー３２はその位置で停止する。従って、回動ストッパーは、その状態を維持することができ、よって、当該手すり１は天井Ｃと床Ｆとの間に、突っ張った姿勢で強固に固定される。
【００２８】
本実施形態に係る突っ張り型手すり１は、下部パイプ１０、上部パイプ２０、下部ホルダー３０、上部ホルダー４０、回動レバー５０で構成され、これらの部材はいずれも簡易な構成であるので、全体構造が簡易である。従って、取付けが極めて容易であり、製造コストおよび提供コストを廉価に抑えることができる。
【００２９】
また、上部パイプ２０を手で引き出して支持板２１を天井Ｃに当て、回動レバー５０を下方向に回動するのみで、天井Ｃと床Ｆとの間に突っ張らせて固定するので、強固に取り付けることができ、手すりとしての機能に優れる。
【００３０】
なお、本実施形態に係る突っ張り型手すり１は、上部パイプ２０の上端部に、上端面が天井Ｃに当接する平面十字状の支持板２１を設けている。これにより、天井Ｃに対する組付きを安定させて、より強固に取り付けることができる。
【００３１】
また、この手すり１は、下部パイプ１０に正面コ字状の把持部１１を設けている。これにより、把持部１１を持つことによっても身体を支えることができるので、より使用性に優れるといった利点を持つ。
【００３２】
また、レバー本体５１のカム板部５２の後端部に対応する部分に、左右方向に支持部材５５を設け、回動レバー５０を回動した際にカム板部５２に作用する力によって、当該カム板部５２およびレバー本体５１が左右方向に変形してしまうのを防止している。
【００３３】
なお、回動レバー５０を下向きから水平位置に戻したとき、上部ホルダー４０が確実に下部ホルダー３０に接触するまで下降させるために、両者間に引張スプリング６０を張架することもある。
【図面の簡単な説明】
【００３４】
【図１】本発明の実施形態に係る突っ張り型手すりを示す側面図である。
【図２】図１に示す手すりの要部拡大図である。
【図３】図２のＡ−Ａ線断面図である。
【図４】本発明の実施形態における回動レバーを示す側面図である。
【図５】（ａ）は図４のＢ−Ｂ線断面図、（ｂ）はＣ−Ｃ線断面図である。
【図６】本発明の実施形態における下部ホルダーを示す側面図である。
【図７】図６に示す下部ホルダーの平面図である。
【図８】本発明の実施形態における上部ホルダーを示す側面図である。
【図９】図７に示す下部ホルダーの平面図である。
【図１０】レバーを上げた状態における図８のＺ−Ｚ断面端図である。
【図１１】レバーを若干傾けた状態における図８のＺ−Ｚ断面端図である。
【図１２】本発明の実施形態に係る突っ張り型手すりの動作を示す要部拡大側面図である。
【図１３】本発明の実施形態に係る突っ張り型手すりの概略平面図である。
【符号の説明】
【００３５】
１        突っ張り型手すり
１０      下部パイプ
１１      把持部
１２      土台部
２０      上部パイプ
２１      支持板
３０      下部ホルダー
３１      水平軸
３２      ローラー
３３      ビス
３４      孔部
４０      上部ホルダー
４１      横軸
４２      円弧面後端部
４３      割れ目
４４ａ，４４ｂ      締付片
４５      軸受孔
４６ａ，４６ｂ      テーパー面
５０      回動レバー
５１      レバー本体
５２      カム板部
５３      カム面
５４      ストッパー凹部
５５      支持部材
５７ａ，５７ｂ      内側壁
５８      切欠き
５９      段部
６０      引張スプリング
Ｃ        天井
Ｆ        床
【手続補正２】
【補正対象書類名】図面
【補正対象項目名】図４
【補正方法】変更
【補正の内容】
【図４】
2008075383.tif 000016
【手続補正３】
【補正対象書類名】図面
【補正対象項目名】図５
【補正方法】変更
【補正の内容】
【図５】
2008075383.tif 000017
【手続補正４】
【補正対象書類名】図面
【補正対象項目名】図１０
【補正方法】変更
【補正の内容】
【図１０】
2008075383.tif 000018
【手続補正５】
【補正対象書類名】図面
【補正対象項目名】図１１
【補正方法】変更
【補正の内容】
【図１１】
2008075383.tif 000019
【手続補正６】
【補正対象書類名】図面
【補正対象項目名】図１２
【補正方法】変更
【補正の内容】
【図１２】
2008075383.tif 000020